(57)【要約】【課題】単一の被写体に対応する多視点の映像の鑑賞を可能とする。【解決手段】本発明の実施形態に係る映像配信システム１では、ＵＥ２００は、映像情報、位置情報、撮影倍率情報及び撮影時刻情報の組み合わせの情報（組み合わせ情報）を、ＣＲＮＣ／ＳＲＮＣ１０へ送信する。ＣＲＮＣ／ＳＲＮＣ１０は、組み合わせ情報に基づいて、同一の被写体に対応する映像情報を同一のグループに設定する。更に、ＣＲＮＣ／ＳＲＮＣ１０は、グループに含まれる映像情報に基づいて、被写体の多視点からの映像群である多視点映像群の情報を生成し、ＵＥ２００へ配信する。【選択図】図１
2012222756.tif 000002
【特許請求の範囲】
【請求項１】
サーバと無線端末とにより構成される映像配信システムであって、
前記無線端末は、映像情報と前記無線端末の位置を示す位置情報とを送信し、
前記サーバは、前記映像情報と前記位置情報とを受信し、前記映像情報と前記位置情報とに基づいて、同一の被写体に対応する前記映像情報を同一のグループに設定し、
前記サーバは、前記グループに含まれる前記映像情報に基づいて、前記被写体の多視点からの映像群である多視点映像群を生成し、
前記サーバは、前記多視点映像群に対応する映像情報を配信する映像配信システム。
【請求項２】
前記サーバは、前記映像情報と前記位置情報とに基づいて、前記無線端末から被写体までの距離及び方位を決定する請求項１に記載の映像配信システム。
【請求項３】
前記サーバは、前記多視点映像群に対応する映像情報を、前記無線端末の操作部における操作と対応付けた形式で配信する請求項１に記載の映像配信システム。
【請求項４】
映像を配信するサーバであって、
無線端末からの映像情報と前記無線端末の位置を示す位置情報とを受信し、
前記映像情報と前記位置情報とに基づいて、同一の被写体に対応する前記映像情報を同一のグループに設定し、
前記グループに含まれる前記映像情報に基づいて、前記被写体の多視点からの映像群である多視点映像群を生成し、
前記多視点映像群に対応する映像情報を配信するサーバ。
【請求項５】
映像を配信するサーバにおける映像配信方法であって、
無線端末からの映像情報と前記無線端末の位置を示す位置情報とを受信するステップと、
前記映像情報と前記位置情報とに基づいて、同一の被写体に対応する前記映像情報を同一のグループに設定するステップと、
前記グループに含まれる前記映像情報に基づいて、前記被写体の多視点からの映像群である多視点映像群を生成するステップと、
前記多視点映像群に対応する映像情報を配信するステップとを含む映像配信方法。
【発明の詳細な説明】
【技術分野】
【０００１】
本発明は、サーバと無線端末とにより構成される映像配信システム、映像を配信するサーバ、及び、当該サーバにおける映像配信方法に関する。
【背景技術】
【０００２】
近年、ネットワークを介したストリーミング配信が普及しつつある。例えば、マルチメディアブロードキャスト／マルチキャストサービス（ＭＢＭＳ）がストリーミング配信として知られている。
【０００３】
例えば、特許文献１では、遠隔観戦サービスサーバが、競技場に設置された複数の撮影端末から送られてくる映像ストリームをインターネット放送としてクライアントに配信する。
【０００４】
また、特許文献２では、ユーザ端末が、コンテンツ配信サーバから配信されている情報を、ユーザの選択や条件に応じて切り替える。
【先行技術文献】
【特許文献】
【０００５】
【特許文献１】特開２００２−１６５２００号公報
【特許文献２】特開２００８−５３９１６号公報
【発明の概要】
【発明が解決しようとする課題】
【０００６】
無線端末等が配信サーバへ映像情報を送信し、配信サーバが当該映像情報を配信するシステムにおいて、配信サーバは、様々な被写体の映像情報を保持し、無線端末等へ配信する。しかしながら、無線端末のユーザが、１の被写体を様々な方向及び距離から撮影した映像を見たい場合等、被写体に着目した映像の鑑賞を望む場合に、配信サーバは、その要求に応じることができない。
【０００７】
上記問題点に鑑み、本発明は、単一の被写体に対応する多視点の映像の鑑賞を可能とする映像配信システム、サーバ及び映像配信方法を提供することを目的とする。
【課題を解決するための手段】
【０００８】
上述した課題を解決するために、本発明は以下のような特徴を有している。本発明の第１の特徴は、サーバ（ＣＲＮＣ／ＳＲＮＣ１０）と無線端末（ＵＥ２００）とにより構成される映像配信システム（映像配信システム１）であって、前記無線端末は、映像情報と前記無線端末の位置を示す位置情報とを送信し、前記サーバは、前記映像情報と前記位置情報とを受信し、前記映像情報と前記位置情報とに基づいて、同一の被写体に対応する前記映像情報を同一のグループに設定し、前記サーバは、前記グループに含まれる前記映像情報に基づいて、前記被写体の多視点からの映像群である多視点映像群を生成し、前記サーバは、前記多視点映像群に対応する映像情報を配信することを要旨とする。
【０００９】
このような映像配信システムでは、サーバは、無線端末からの映像情報と位置情報とを受信し、当該映像情報及び位置情報に基づいて、同一の被写体に対応する映像情報を同一のグループに設定し、更に、グループに含まれる映像情報に基づいて、被写体の多視点映像群を生成、配信する。従って、同一被写体に対応する映像情報が関連付けられて配信されるため、無線端末のユーザは、単一の被写体についての多視点映像群を鑑賞できる。
【００１０】
本発明の第２の特徴は、前記サーバは、前記映像情報と前記位置情報とに基づいて、前記無線端末から被写体までの距離及び方位を決定することを要旨とする。
【００１１】
本発明の第３の特徴は、前記サーバは、前記多視点映像群に対応する映像情報を前記無線端末の操作部における操作と対応付けた形式で配信することを要旨とする。
【００１２】
本発明の第４の特徴は、映像を配信するサーバであって、無線端末からの映像情報と前記無線端末の位置を示す位置情報とを受信し、前記映像情報と前記位置情報とに基づいて、同一の被写体に対応する前記映像情報を同一のグループに設定し、前記グループに含まれる前記映像情報に基づいて、前記被写体の多視点からの映像群である多視点映像群を生成し、前記多視点映像群に対応する映像情報を配信することを要旨とする。
【００１３】
本発明の第５の特徴は、映像を配信するサーバにおける映像配信方法であって、無線端末からの映像情報と前記無線端末の位置を示す位置情報とを受信するステップと、前記映像情報と前記位置情報とに基づいて、同一の被写体に対応する前記映像情報を同一のグループに設定するステップと、前記グループに含まれる前記映像情報に基づいて、前記被写体の多視点からの映像群である多視点映像群を生成するステップと、前記多視点映像群に対応する映像情報を配信するステップとを含むことを要旨とする。
【発明の効果】
【００１４】
本発明によれば、単一の被写体に対応する多視点の映像の鑑賞が可能となる。
【図面の簡単な説明】
【００１５】
【図１】本発明の実施形態に係る映像配信システムの全体概略構成図である。
【図２】本発明の実施形態に係るＣＲＮＣ／ＳＲＮＣの構成図である。
【図３】本発明の実施形態に係るＵＥの構成図である。
【図４】本発明の実施形態に係る被写体と撮影位置との対応の一例を示す図である。
【図５】本発明の実施形態に係る操作部の一例を示す図である。
【図６】本発明の実施形態に係る映像配信システムの第１の動作を示すシーケンス図である。
【図７】本発明の実施形態に係る映像配信システムの第２の動作を示すシーケンス図である。
【発明を実施するための形態】
【００１６】
次に、図面を参照して、本発明の実施形態を説明する。具体的には、（１）映像配信システムの構成、（２）映像配信システムの動作、（３）作用・効果、（４）その他の実施形態について説明する。以下の実施形態における図面の記載において、同一又は類似の部分には同一又は類似の符号を付している。
【００１７】
（１）映像配信システムの構成
図１は、本発明の実施形態に係る映像配信システム１の全体概略構成図である。映像配信システム１は、配信サーバ及びＸＤＭサーバの機能を有するＣＲＮＣ（Controlling Radio Network Controller）／ＳＲＮＣ（Serving Radio Network Controller）１０と、無線基地局（ｅＮＢ）１００と、ｅＮＢ１００によって形成されるカバレッジエリアであるセル１５０内の無線端末（ＵＥ）２００−１、ＵＥ２００−２、ＵＥ２００−３及びＵＥ２００−４（以下、適宜ＵＥ２００−１乃至２００−４をまとめて「ＵＥ２００」と称する）と、ＣＲＮＣ／ＳＲＮＣ１０とｅＮＢ１００とを接続するネットワーク３００とを有する。
【００１８】
本実施形態において、ＣＲＮＣ／ＳＲＮＣ１０は、ＵＥ２００に対して、映像情報を配信する。ｅＮＢ１００とＵＥ２００との間の無線通信は、例えば、第３．９世代（３．９Ｇ）携帯電話システムであるＬＴＥ  Ｒｅｌｅａｓｅ９ や、第４世代（４Ｇ）携帯電話システムとして位置づけられているＬＴＥ−Ａｄｖａｎｃｅｄに基づく無線通信方式を採用する。
【００１９】
図２は、ＣＲＮＣ／ＳＲＮＣ１０の構成を示す図である。ＣＲＮＣ／ＳＲＮＣ１０は、制御部１０１、記憶部１０３及び有線通信部１０４を含む。
【００２０】
制御部１０１は、例えばＣＰＵ（Central Processing Unit）を用いて構成され、ＣＲＮＣ／ＳＲＮＣ１０が具備する各種の機能を制御する。記憶部１０３は、例えばメモリを用いて構成され、ＣＲＮＣ／ＳＲＮＣ１０の制御等に用いられる各種の情報を記憶する。有線通信部１０４は、ネットワーク３００及びｅＮＢ１００を介して、ＵＥ２００との間で通信を行う。
【００２１】
図３は、ＵＥ２００の構成を示す図である。ＵＥ２００は、制御部２０１、記憶部２０３、無線通信部２０４、アンテナ２０８、カメラ２１０、ＧＮＳＳ（Global Navigation Satellite System）２１２、操作部２１４及びディスプレイ２１６を含む。
【００２２】
制御部２０１は、例えばＣＰＵを用いて構成される。制御部２０１は、ユーザによる操作部２１４の操作等に応じて、ＵＥ２００が具備する各種の機能を制御する。記憶部２０３は、例えばメモリを用いて構成され、ＵＥ２００の制御等に用いられる各種の情報を記憶する。無線通信部２０４は、アンテナ２０８を介して、ｅＮＢ１００との間で無線通信を行う。カメラ２１０は、被写体を撮影し、映像情報を生成する。ＧＮＳＳ２１２は、例えば、ＧＰＳ（Global Positioning System）の機能を有する。ＧＮＳＳ２１２は、ＵＥ２００の位置情報（経度、緯度、方位）を検知する。操作部２１４は、テンキーや上下左右の方向を指定するキーを有する。なお、操作部２１４は、ディスプレイ２１６にキーの画像が表示されるタッチパネル式であってもよい。ディスプレイ２１６は、各種映像を表示する。
【００２３】
次に、ＣＲＮＣ／ＳＲＮＣ１０及びＵＥ２００の映像配信に関する処理を説明する。
【００２４】
ＵＥ２００内の制御部２０１は、ユーザによる操作部２１４の操作に応じて、カメラ２１０の撮影倍率を設定し、当該カメラ２１０に撮影を指示する。カメラ２１０は、制御部２０１の指示に応じて、被写体を撮影し、映像情報を出力する。映像情報は、例えば、ＪＰＥＧ（Joint Photographic Experts Group）の形式を有する。
【００２５】
また、制御部２０１は、カメラ２１０に対する撮影の指示とともに、ＧＮＳＳ２１２に対して、位置情報の検知を指示する。ＧＮＳＳ２１２は、制御部２０１の指示に応じて、位置情報を検知し、制御部２０１へ出力する。位置情報は、撮影位置の位置を示す情報として扱われる。制御部２０１は、カメラ２１０からの映像情報と、ＧＮＳＳ２１２からの位置情報とを入力する。制御部２０１は、撮影時刻の情報を取得する。更に、制御部２０１は、映像情報、位置情報、撮影倍率の情報及び撮影時刻の情報の組み合わせを記憶部２０３に記憶させる。
【００２６】
制御部２０１は、映像情報をアップロードするサービスを要求するための通知であるサービス通知情報（MBMS Selected Services Information）を、無線通信部２０４、アンテナ２０８、ｅＮＢ１００及びネットワーク３００を介して、ＣＲＮＣ／ＳＲＮＣ１０へ送信する。
【００２７】
ＣＲＮＣ／ＳＲＮＣ１０内の制御部１０１は、ＵＥ２００内の制御部２０１からのサービス通知情報（MBMS Selected Services Information）を、有線通信部１０４を介して受信する。
【００２８】
次に、制御部１０１は、サービス通知情報（MBMS Selected Services Information）に応じて、ＵＥ２００が映像情報をアップロードするために必要な各種の情報を含んだサービス方法通知情報を、有線通信部１０４、ネットワーク３００、ｅＮＢ１００を介してＵＥ２００へ送信する。
【００２９】
ＵＥ２００内の制御部２０１は、サービス方法通知情報を、アンテナ２０８及び無線通信部２０４を介して受信する。制御部２０１は、受信したサービス方法通知情報に基づいて、映像情報をアップロードするサービスを起動する。
【００３０】
次に、ＵＥ２００内の制御部２０１と、ＣＲＮＣ／ＳＲＮＣ１０内の制御部１０１とは、セッションを開始する。セッションが開始されることにより、ＵＥ２００からＣＲＮＣ／ＳＲＮＣ１０への映像情報のアップロードが可能となる。
【００３１】
次に、ＵＥ２００内の制御部２０１は、記憶部１０３に記憶された、映像情報、位置情報、撮影倍率情報及び撮影時刻情報の組み合わせを読み出す。制御部２０１は、映像情報、位置情報、撮影倍率情報及び撮影時刻情報を、無線通信部２０４、アンテナ２０８、ｅＮＢ１００及びネットワーク３００を介して、ＣＲＮＣ／ＳＲＮＣ１０へ送信する。なお、制御部２０１は、記憶部２０３に、映像情報、位置情報、撮影倍率情報及び撮影時刻情報の組み合わせが複数記憶されている場合には、それぞれの組み合わせを送信する。
【００３２】
ＣＲＮＣ／ＳＲＮＣ１０内の制御部１０１は、有線通信部１０４を介して、映像情報、位置情報、撮影倍率情報及び撮影時刻情報の組み合わせを受信する。更に、制御部１０１は、映像情報、位置情報、撮影倍率情報及び撮影時刻情報の組み合わせ（組み合わせ情報）を記憶部１０３に記憶させる。
【００３３】
その後、ＵＥ２００内の制御部２０１と、ＣＲＮＣ／ＳＲＮＣ１０内の制御部１０１とは、セッションを終了する。
【００３４】
セッションの終了後、ＣＲＮＣ／ＳＲＮＣ１０内の制御部１０１は、被写体についての多視点からの映像群である多視点映像群の情報を生成する。
【００３５】
具体的には、制御部１０１は、記憶部１０３から組み合わせ情報を読み出す。制御部１０１は、ＸＤＭサーバの機能により、映像指紋等の映像に埋め込まれた識別情報に基づいて照合を行う技術を用いて、著作権及び肖像権の認証を行う。認証に失敗した場合には、制御部１０１は、対応する組み合わせ情報については、多視点映像群情報の対象にしない。
【００３６】
なお、映像指紋（ISO/IEC JTC 1/SC 29から、動画の識別方法に関する国際標準規格MPEG-7Video signature Toolsとして規格化予定）は、オリジナルの動画から映像を識別するための指紋情報（ビデオシグネチャ）を生成し、他の動画と照合する映像識別技術である。
【００３７】
次に、制御部１０１は、映像切替アプリケーションを起動する。映像切替アプリケーションの起動後、制御部１０１は、組み合わせ情報内の映像情報に基づいて、顔識別、コメント識別等の機能により、被写体を識別する。次に、制御部１０１は、組み合わせ情報内の位置情報と撮影倍率情報とに基づいて、撮影位置から被写体までの距離及び方位を決定する。更に、制御部１０１は、撮影位置から被写体までの距離及び方位と、位置情報（撮影位置の位置の情報）とに基づいて、被写体の位置の情報を取得する。
【００３８】
制御部１０１は、各組み合わせ情報毎に、上述の被写体の位置の情報を取得する。更に、制御部１０１は、複数の被写体の位置の情報を比較し、一致あるいは近似するか否かを判定する。複数の被写体の位置の情報が一致あるいは近似する場合、対応する被写体は同一であると見なすことができる。従って、複数の被写体の位置の情報が一致あるいは近似する場合、制御部１０１は、一致あるいは近似する被写体の位置情報に対応する組み合わせ情報を１つのグループに所属させる。
【００３９】
次に、制御部１０１は、１つのグループに所属する組み合わせ情報、換言すれば、１つの被写体に対応する組み合わせ情報を多視点映像群情報とする。更に、制御部１０１は、多視点映像群情報を記憶部１０３に記憶させる。
【００４０】
図４は、被写体と撮影位置との対応の一例を示す図である。図４は、ＵＥ２００のユーザが１の被写体を５つの撮影位置Ａ乃至撮影位置Ｅから撮影した場合の例である。この場合、ＣＲＮＣ／ＳＲＮＣ１０内の制御部１０１は、５つの撮影位置Ａ乃至撮影位置Ｅに対応する組み合わせ情報を、被写体に対応する多視点映像群情報とする。
【００４１】
その後、ＵＥ２００内の制御部２０１は、多視点映像をダウンロードするサービスを要求するための通知であるサービス通知情報（MBMS Selected Services Information）を、無線通信部２０４、アンテナ２０８、ｅＮＢ１００及びネットワーク３００を介して、ＣＲＮＣ／ＳＲＮＣ１０へ送信する。
【００４２】
ＣＲＮＣ／ＳＲＮＣ１０内の制御部１０１は、ＵＥ２００内の制御部２０１からのサービス通知情報（MBMS Selected Services Information）を、有線通信部１０４を介して受信する。
【００４３】
次に、制御部１０１は、サービス通知情報（MBMS Selected Services Information）に応じて、ＵＥ２００が映像情報をダウンロードするために必要な各種の情報を含んだサービス方法通知情報を、有線通信部１０４、ネットワーク３００、ｅＮＢ１００を介してＵＥ２００へ送信する。サービス方法通知情報は、多視点映像群情報に対応する各映像情報を選択するための操作を規定する情報を含む。
【００４４】
例えば、ＵＥ２００の操作部２１４に、図５に示すテンキーが設けられている場合、操作を規定する情報は、最初に何れかのキーが押下された場合には、予め定められた初期の映像情報を選択する操作を規定する。その後に、「４」が押下された場合には、ＵＥ２００が、被写体を中心に、現時点の映像の撮影位置から右回りに移動した場合の撮影位置の映像を選択する操作を規定し、「６」が押下された場合には、ＵＥ２００が、被写体を中心に、現時点の映像の撮影位置から左回りに移動した場合の撮影位置の映像を選択する操作を規定し、「２」が押下された場合には、ＵＥ２００が、現時点の映像の撮影位置よりも被写体に近い位置に移動した場合の撮影位置の映像を選択する操作を規定し、「８」が押下された場合には、ＵＥ２００が、現時点の映像の撮影位置よりも被写体から遠い位置に移動した場合の撮影位置の映像を選択する操作を規定する。
【００４５】
また、ＵＥ２００の操作部に、上下左右の方向を指定するキーが設けられている場合には、操作を規定する情報は、最初に何れかのキーが押下された場合には、予め定められた初期の映像情報を選択する操作を規定する。その後に、左を指定するキーが押下された場合には、ＵＥ２００が、被写体を中心に、現時点の映像の撮影位置から右回りに移動した場合の撮影位置の映像を選択する操作を規定し、右を指定するキーが押下された場合には、ＵＥ２００が、被写体を中心に、現時点の映像の撮影位置から左回りに移動した場合の撮影位置の映像を選択する操作を規定し、上を指定するキーが押下された場合には、ＵＥ２００が、現時点の映像の撮影位置よりも被写体に近い位置に移動した場合の撮影位置の映像を選択する操作を規定し、下を指定するキーが押下された場合には、ＵＥ２００が、現時点の映像の撮影位置よりも被写体から遠い位置に移動した場合の撮影位置の映像を選択する操作を規定する。
【００４６】
ＵＥ２００内の制御部２０１は、サービス方法通知情報を、アンテナ２０８及び無線通信部２０４を介して受信する。制御部２０１は、受信したサービス方法通知情報に基づいて、映像情報をダウンロードするサービスを起動する。
【００４７】
次に、ＵＥ２００内の制御部２０１と、ＣＲＮＣ／ＳＲＮＣ１０内の制御部１０１とは、セッションを開始する。セッションが開始されることにより、ＣＲＮＣ／ＳＲＮＣ１０からＵＥ２００への映像情報のアップロードが可能となる。
【００４８】
次に、ＵＥ２００内の制御部２０１は、ユーザによる操作部２１４の操作に応じて、予め定められた初期の映像を選択するための操作の情報である、映像選択操作情報（MBMS P-T-P Modification Request）を、無線通信部２０４、アンテナ２０８、ｅＮＢ１００及びネットワーク３００を介して、ＣＲＮＣ／ＳＲＮＣ１０へ送信する。
【００４９】
ＣＲＮＣ／ＳＲＮＣ１０内の制御部１０１は、有線通信部１０４を介して、映像選択操作情報（MBMS P-T-P Modification Request）を受信する。制御部１０１は、映像選択操作情報（MBMS P-T-P Modification Request）に応じて、組み合わせ情報の中から映像情報を選択する。更に、制御部１０１は、選択した映像情報を、有線通信部１０４、ネットワーク３００、ｅＮＢ１００を介してＵＥ２００へ送信する。ＵＥ２００内の制御部２０１は、映像情報を、アンテナ１０８及び無線通信部２０４を介して受信する。更に、制御部２０１は、ディスプレイ２１６に受信した映像情報に基づく映像を表示させる。
【００５０】
また、ＵＥ２００内の制御部２０１は、ユーザによる操作部２１４の操作に応じて、映像を切り替えるための操作の情報である、切替操作情報（MBMS P-T-P Modification Request）を、無線通信部２０４、アンテナ２０８、ｅＮＢ１００及びネットワーク３００を介して、ＣＲＮＣ／ＳＲＮＣ１０へ送信する。
【００５１】
ＣＲＮＣ／ＳＲＮＣ１０内の制御部１０１は、有線通信部１０４を介して、切替操作情報（MBMS P-T-P Modification Request）を受信する。制御部１０１は、直前に送信した映像情報に対応する撮影位置から、切替操作情報（MBMS P-T-P Modification Request）によって指定される撮影位置に移動した場合の当該撮影位置に対応する映像情報を選択する。更に、制御部１０１は、選択した映像情報を、有線通信部１０４、ネットワーク３００、ｅＮＢ１００を介してＵＥ２００へ送信する。ＵＥ２００内の制御部２０１は、映像情報を、アンテナ１０８及び無線通信部２０４を介して受信する。更に、制御部２０１は、ディスプレイ２１６に受信した映像情報に基づく映像を表示させる。
【００５２】
その後、ＵＥ２００内の制御部２０１と、ＣＲＮＣ／ＳＲＮＣ１０内の制御部１０１とは、セッションを終了する。
【００５３】
（２）映像配信システムの動作
図６及び図７は、映像配信システム１の動作を示すシーケンス図である。図６のステップＳ１０１において、ＵＥ２００は、映像情報をアップロードするサービスを要求するための通知であるサービス通知情報（MBMS Selected Services Information）を、ＣＲＮＣ／ＳＲＮＣ１０へ送信する。ＣＲＮＣ／ＳＲＮＣ１０は、サービス通知情報（MBMS Selected Services Information）を受信する。
【００５４】
ステップＳ１０２において、ＣＲＮＣ／ＳＲＮＣ１０は、ＵＥ２００が映像情報をアップロードするために必要な各種の情報を含んだサービス方法通知情報を、ＵＥ２００へ送信する。ＵＥ２００は、サービス方法通知情報を受信する。
【００５５】
ステップＳ１０３において、ＵＥ２００は、映像情報をアップロードするサービスを起動する。
【００５６】
ステップＳ１０４において、ＵＥ２００とＣＲＮＣ／ＳＲＮＣ１０とは、セッションを開始する。
【００５７】
ステップＳ１０５において、ＵＥ２００は、映像情報、位置情報、撮影倍率情報及び撮影時刻情報の組み合わせを、ＣＲＮＣ／ＳＲＮＣ１０へ送信する。ＣＲＮＣ／ＳＲＮＣ１０は、映像情報、位置情報、撮影倍率情報及び撮影時刻情報の組み合わせを受信する。
【００５８】
ステップＳ１０６において、ＣＲＮＣ／ＳＲＮＣ１０は、映像情報、位置情報、撮影倍率情報及び撮影時刻情報の組み合わせを記憶する。
【００５９】
ステップＳ１０７において、ＵＥ２００と、ＣＲＮＣ／ＳＲＮＣ１０とは、セッションを終了する。
【００６０】
ステップＳ１０８において、ＣＲＮＣ／ＳＲＮＣ１０は、被写体についての多視点からの映像群である多視点映像群の情報を生成する。
【００６１】
図７のステップＳ２０１において、ＵＥ２００は、多視点映像をダウンロードするサービスを要求するための通知であるサービス通知情報（MBMS Selected Services Information）を、ＣＲＮＣ／ＳＲＮＣ１０へ送信する。ＣＲＮＣ／ＳＲＮＣ１０は、サービス通知情報（MBMS Selected Services Information）を受信する。
【００６２】
ステップＳ２０２において、ＣＲＮＣ／ＳＲＮＣ１０は、ＵＥ２００が映像情報をダウンロードするために必要な各種の情報を含んだサービス方法通知情報を、ＵＥ２００へ送信する。ＵＥ２００は、サービス方法通知情報を受信する。
【００６３】
ステップＳ２０３において、ＵＥ２００は、映像情報をダウンロードするサービスを起動する。
【００６４】
ステップＳ２０４において、ＵＥ２００と、ＣＲＮＣ／ＳＲＮＣ１０とは、セッションを開始する。
【００６５】
ステップＳ２０５において、ＵＥ２００は、映像選択操作情報（MBMS P-T-P Modification Request）を、ＣＲＮＣ／ＳＲＮＣ１０へ送信する。ＣＲＮＣ／ＳＲＮＣ１０は、映像選択操作情報（MBMS P-T-P Modification Request）を受信する。
【００６６】
ステップＳ２０６において、ＣＲＮＣ／ＳＲＮＣ１０は、映像選択操作情報（MBMS P-T-P Modification Request）に応じて選択した映像情報を、ＵＥ２００へ送信する。ＵＥ２００は、映像情報を受信する。
【００６７】
ステップＳ２０７において、ＵＥ２００は、映像を切り替えるための操作の情報である、切替操作情報（MBMS P-T-P Modification Request）を、ＣＲＮＣ／ＳＲＮＣ１０へ送信する。ＣＲＮＣ／ＳＲＮＣ１０は、切替操作情報（MBMS P-T-P Modification Request）を受信する。
【００６８】
ステップＳ２０８において、ＣＲＮＣ／ＳＲＮＣ１０は、切替操作情報（MBMS P-T-P Modification Request）に応じて選択した映像情報を、ＵＥ２００へ送信する。ＵＥ２００は、映像情報を受信する。
【００６９】
ステップＳ２０９において、ＵＥ２００と、ＣＲＮＣ／ＳＲＮＣ１０とは、セッションを終了する。
【００７０】
（３）作用・効果
本実施形態の映像配信システム１では、ＵＥ２００は、映像情報、位置情報、撮影倍率情報及び撮影時刻情報の組み合わせの情報（組み合わせ情報）を、ＣＲＮＣ／ＳＲＮＣ１０へ送信する。ＣＲＮＣ／ＳＲＮＣ１０は、組み合わせ情報に基づいて、同一の被写体に対応する映像情報を同一のグループに設定する。更に、ＣＲＮＣ／ＳＲＮＣ１０は、グループに含まれる映像情報に基づいて、被写体の多視点からの映像群である多視点映像群の情報を生成し、ＵＥ２００へ配信する。
【００７１】
従って、同一被写体に対応する映像情報が関連付けられて配信されるため、ＵＥ２００のユーザは、単一の被写体についての多視点映像群に対応する各映像を鑑賞できる。
【００７２】
また、ＣＲＮＣ／ＳＲＮＣ１０は、ＵＥ２００のユーザによる操作部２１４の操作の情報を受信し、当該操作に応じて多視点映像群に対応する各映像情報の中から映像情報を選択して、ＵＥ２００へ配信する。従って、ＵＥ２００のユーザは、単一の被写体について所望する撮影方向からの映像を簡易に鑑賞できる。
【００７３】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７４】
上述した実施形態では、ＣＲＮＣ／ＳＲＮＣ１０内の制御部１０１は、各組み合わせ情報毎に、上述の被写体の位置の情報を取得し、複数の被写体の位置の情報が一致あるいは近似する場合、対応する被写体は同一であると見なした。
【００７５】
しかし、制御部１０１は、更に、撮影時刻情報をも考慮してもよい。具体的には、各組み合わせ情報毎に、上述の被写体の位置の情報と撮影時刻情報とを取得する。更に、制御部１０１は、複数の被写体の位置の情報と撮影時刻情報とを比較し、一致あるいは近似するか否かを判定する。複数の被写体の位置の情報及び撮影時刻情報が一致あるいは近似する場合、対応する被写体は同一であると見なすことができる。従って、複数の被写体の位置の情報及び撮影時刻情報が一致あるいは近似する場合、制御部１０１は、一致あるいは近似する被写体の位置情報及び撮影時刻情報に対応する組み合わせ情報を１つのグループに所属させる。
【００７６】
上述した実施形態では、映像配信システム１におけるｅＮＢ１００とＵＥ２００との間の無線通信方式は、第３．９世代（３．９Ｇ）携帯電話システムであるＬＴＥ  Ｒｅｌｅａｓｅ９ や、第４世代（４Ｇ）携帯電話システムとして位置づけられているＬＴＥ−Ａｄｖａｎｃｅｄに基づく無線通信方式であった。しかし、他の通信規格に基づく構成であってもよい。
【００７７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７８】
１０…ＣＲＮＣ／ＳＲＮＣ、１００…ｅＮＢ、１０１…制御部、１０３…記憶部、１０４…有線通信部、１５０…セル、２００−１、２００−２、２００−３、２００−４…ＵＥ、２０１…制御部、２０３…記憶部、２０４…無線通信部、２０８…アンテナ、２１０…カメラ、２１２…ＧＮＳＳ、２１４…操作部、２１６…ディスプレイ、３００…ネットワーク
【図１】
2012222756.tif 000003
【図２】
2012222756.tif 000004
【図３】
2012222756.tif 000005
【図４】
2012222756.tif 000006
【図５】
2012222756.tif 000007
【図６】
2012222756.tif 000008
【図７】
2012222756.tif 000009